(57)【要約】【課題】長期に亘って自然景観及び安全性を確保できる塊状石材相互の連結工法を提供する。【解決手段】自然石やコンクリートブロック等の塊状石材相互を連結する塊状石材の連結工法において、非金属性の繊維状ロープ１２と、該ロープ１２が表裏を貫通して取り付けられている織布１３とを備え、前記ロープ１２の一方の端部をほぐし、該ほぐした部分１４ａを概ね３６０度均等に拡げて一方の前記塊状石材１１の表面に当接配置し、かつ、該ほぐして拡げた部分１４ａの外側を覆って織布１３を該一方の塊状石材１１の表面に当接配置するとともに、織布１３の外表面側から織布１３とロープ１２の端部１４ａに接着剤１７を含浸させて該接着剤１７の硬化によりロープ１２の一方の端部１４ａと該織布１３と該一方の塊状石材１１とを連結一体化し、さらに、前記ロープの他方の端部と他方の前記塊状石材を同様して連結一体化するようにした。【選択図】図３
2011017142.tif 000002
【特許請求の範囲】
【請求項１】
自然石やコンクリートブロック等の塊状石材相互を連結する塊状石材の連結工法において、
非金属性の繊維状ロープと、該ロープが表裏を貫通して取り付けられている織布とを備え、前記ロープの一方の端部をほぐし、該ほぐした部分を概ね３６０度均等に拡げて一方の前記塊状石材の表面に当接配置し、かつ、該ほぐして拡げた部分の外側を覆って前記織布を該一方の塊状石材の表面に当接配置するとともに、前記織布と前記ロープ端部に接着剤を含浸させて該接着剤の硬化により該ロープの一方の端部と該織布と該一方の塊状石材とを連結一体化し、さらに、前記ロープの他方の端部と他方の前記塊状石材を同様して連結一体化して成ることを特徴とする塊状石材の連結工法。
【請求項２】
上記接着剤は、上記織布の表面側から塗布して含浸させることを特徴とする請求項１記載の塊状石材の連結工法。
【請求項３】
上記接着剤は、上記ロープ端部及び上記織布が当接配置される箇所に対応させて予め上記塊状石材の表面に塗布しておき、当接された前記ロープ端部及び前記織布に前記塊状石材の表面側から含浸させることを特徴とする請求項１記載の塊状石材の連結工法。
【請求項４】
上記ロープは、上記ほぐして拡げられた内側の繊維部と、該内側繊維部の外周面を被覆して該内側繊維部と一体化された外側織布とを備える２重構造で形成され、かつ、該外側織布に耐紫外線を有する繊維を使用していることを特徴とする請求項１,２または３記載の塊状石材の連結工法。
【請求項５】
上記織布は、外側が耐紫外線を有する繊維から成る織布で被覆されていることを特徴とする請求項１,２,３または４記載の塊状石材の連結工法。
【発明の詳細な説明】
【技術分野】
【０００１】
本発明は自然石やコンクリートブロック等の塊状石材相互を連結する塊状石材の連結工法に関するものであり、特に、発錆がなく、長期に亘って自然景観及び安全性を確保できるようにして塊状石材相互を連結する塊状石材の連結工法に関するものである。
【背景技術】
【０００２】
従来、河川や海岸線等の護岸や堤防を維持するために、自然石やコンクリートブロック等の塊状石材を敷設することが行われている。この塊状石材は自然景観の創出効果を高める観点等から、所定サイズ以上の自然石やコンクリートブロックを上面が地中から露出するようにして埋設し、かつ、隣り合う塊状石材との間を例えば亜鉛アルミ合金メッキ(高耐久メッキ)等を施した金属製の連結金具を用いて互いに連結し一体化している（例えば、特許文献参照）。
【先行技術文献】
【特許文献】
【０００３】
【特許文献１】特開２００８−０６２５２９号公報。
【特許文献２】特開１９９９−１００８２６号公報。
【発明の開示】
【発明が解決しようとする課題】
【０００４】
しかしながら、上述したように従来の塊状石材の連結構造では、塊状石材同士を連結金具を用いて連結する構造が取られていた。この連結構造では、河川や海岸線等においては、該連結金具に土砂が衝突し、あるいは波が作用して塊状石材が揺れ、金具相互が擦れたりして「錆」が生じる場合があった。
【０００５】
そして、一旦錆びると、錆は金属内部に経年進行し、急速に強度低下を来す。また、錆または金具の破断部が鋭利になり、ケガをする危険性が高くなり安全性に欠けるという問題点もあった。
【０００６】
そこで、発錆がなく、長期に亘って自然景観及び安全性を確保できる塊状石材相互の連結工法を提供するために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、自然石やコンクリートブロック等の塊状石材相互を連結する塊状石材の連結工法において、非金属性の繊維状ロープと、該ロープが表裏を貫通して取り付けられている織布とを備え、前記ロープの一方の端部をほぐし、該ほぐした部分を概ね３６０度均等に拡げて一方の前記塊状石材の表面に当接配置し、かつ、該ほぐして拡げた部分の外側を覆って前記織布を該一方の塊状石材の表面に当接配置するとともに、前記織布と前記ロープ端部に接着剤を含浸させて該接着剤の硬化により該ロープの一方の端部と該織布と該一方の塊状石材とを連結一体化し、さらに、前記ロープの他方の端部と他方の前記塊状石材を同様して連結一体化して成る塊状石材の連結工法を提供する。
【０００８】
この構成によれば、ロープの一方の端部をほぐし、該ほぐした部分を概ね３６０度均等に拡げて一方の塊状石材の表面に当接配置し、かつ、該ほぐして拡げた部分の外側を覆って織布を該一方の塊状石材の表面に当接配置するとともに、該織布とロープ端部に接着剤を含浸させて硬化させると、該接着剤の硬化によりロープの一方の端部と織布と一方の塊状石材とが連結一体化される。また、この同じ作業をロープの他方の端部と他方の前記塊状石材について行うと、該ロープを介して塊状石材相互を連結することができる。
【０００９】
請求項２記載の発明は、請求項１記載の構成において、上記接着剤は、上記織布の表面側から塗布して含浸させる塊状石材の連結工法を提供する。
【００１０】
この構成によれば、ロープ端部と該端部の外側を覆って設けられる織布を、一方の塊状石材の表面に当接配置させ、かつ、織布の表面側から接着剤を塗布すると、該織布とロープ端部にそれぞれ接着剤が含浸・硬化されるとともに、該接着剤の硬化によってロープ端部と織布と一方の塊状石材が連結一体化される。
【００１１】
請求項３記載の発明は、請求項１記載の構成において、上記接着剤は、上記ロープ端部及び上記織布が当接配置される箇所に対応させて予め上記塊状石材の表面に塗布しておき、当接された前記ロープ端部及び前記織布に前記塊状石材の表面側から含浸させる塊状石材の連結工法を提供する。
【００１２】
この構成によれば、ロープ端部及び上記織布が当接配置される箇所に対応させて、塊状石材の表面に予め接着剤を塗布しておき、該箇所にロープ端部と織布を当接配置させると、塊状石材の表面側から織布とロープ端部にそれぞれ接着剤が含浸され、かつ、該接着剤の硬化によってロープ端部と織布と一方の塊状石材が連結一体化される。
【００１３】
請求項４記載の発明は、請求項１,２または３記載の構成において、上記ロープは、上記ほぐして拡げられた内側の繊維部と該内側繊維部の外周面を被覆して該内側繊維部と一体化された外側織布とを備える２重構造で形成され、かつ、外側織布に耐紫外線を有する繊維を使用している塊状石材の連結工法を提供する。
【００１４】
この構成によれば、ロープの繊維部の外側を耐紫外線を有する繊維から成る織布で被覆一体化しているので、耐候性・耐摩耗性が高められる。
【００１５】
請求項５記載の発明は、請求項１,２,３または４記載の構成において、上記織布は、外側が耐紫外線を有する繊維から成る織布で被覆されている塊状石材の連結工法を提供する。
【００１６】
この構成によれば、織布の外側を耐紫外線材質を有する繊維から成る織布で被覆一体化しているので、耐候性・耐摩耗性が高められる。
【発明の効果】
【００１７】
請求項１記載の発明は、連結材に金属は使わず、非金属性の繊維状ロープを使用するので、錆が発生することがなく、長期に亘って自然景観及び安全性を確保することができる。また、塊状石材に穿孔加工等を施す必要がないので、穿孔機、発電機等の穿孔設備及び穿孔作業等が不要であり、コストダウンが可能になる。さらに、穿孔作業が不要であるため、粉塵対策も不要になる。
【００１８】
また、ロープをほぐして広げた端部外側から織布を当てて接着しているので、ロープに引張力が働いたとき、定着部(接着部)で荷重が分散でき、さらに接着性を高めることができる。
【００１９】
さらに、ロープの働き長さ(定着部間の長さ)を短くなるように変えたいときには、ハサミ等で切断すれば長さを簡単に変更することができるので、定着部位の変更が容易になる。
【００２０】
請求項２記載の発明は、ロープ端部と該端部の外側を覆って設けられる織布を、一方の塊状石材の表面に当接配置させ、かつ、織布の表面側から接着剤を塗布することによってロープ端部と織布と一方の塊状石材を連結一体化することができるので、連結作業が簡略化され、請求項１記載の発明の効果に加えて、作業性の向上が期待できる。
【００２１】
請求項３記載の発明は、予め接着剤が塗布されている塊状石材の表面に、ロープ端部と織布を当接配置させることによってロープ端部と織布と一方の塊状石材を連結一体化することができるので、連結作業が簡略化され、請求項１記載の発明の効果に加えて、作業性の向上が期待できる。
【００２２】
請求項４記載の発明は、ロープの繊維部の外側を耐紫外線材質を有する繊維から成る織布で被覆一体化しているので、耐候性・耐摩耗性が高められ、請求項１,２または３記載の発明の効果に加えて、さらに長期に亘って自然景観及び安全性を確保することができる。
【００２３】
請求項５記載の発明は、織布の外側を耐紫外線を有する繊維から成る織布で被覆一体化しているので、耐候性・耐摩耗性が高められ、請求項１,２,３または４記載の発明の効果に加えて、さらに長期に亘って自然景観及び安全性を確保することができる。
【図面の簡単な説明】
【００２４】
【図１】本発明を河川・海岸護岸に適用した例を示す斜視図。
【図２】本発明の連結工法を適用した塊状石材相互の連結状態を示す斜視図。
【図３】塊状石材とロープとの連結状態を示す拡大斜視図。
【図４】塊状石材とロープの連結部における一部切欠拡大断面図。
【図５】図４のＡ−Ａ断面図。
【図６】塊状石材とロープの連結途中の状態を示す斜視図。
【発明を実施するための最良の形態】
【００２５】
本発明は、発錆がなく、長期に亘って自然景観及び安全性を確保できる塊状石材相互の連結工法を提供するという目的を達成するために、自然石やコンクリートブロック等の塊状石材相互を連結する塊状石材の連結工法において、非金属性の繊維状ロープと、該ロープが表裏を貫通して取り付けられている織布とを備え、前記ロープの一方の端部をほぐし、該ほぐした部分を概ね３６０度均等に拡げて一方の前記塊状石材の表面に当接配置し、かつ、該ほぐして拡げた部分の外側を覆って前記織布を該一方の塊状石材の表面に当接配置するとともに、前記織布と前記ロープ端部に接着剤を含浸させて該接着剤の硬化により該ロープの一方の端部と該織布と該一方の塊状石材とを連結一体化し、さらに、前記ロープの他方の端部と他方の前記塊状石材を同様して連結一体化することにより実現した。
【実施例】
【００２６】
以下、本発明に係る塊状石材の連結工法の一実施例を添付図面を参照しつつ説明する。図１は本発明に係る塊状石材の連結工法を適用した河川護岸の一例を示す斜視図である。同図において、河川護岸１に敷設された塊状石材１１,１１…は、隣接する塊状石材１１,１１相互をロープ１２で連結固定している。なお、ここでの塊状石材１１,１１は、適宜サイズ及び適宜の個数から成る自然石やコンクリートブロック等であり、連結は自然石同士、コンクリートブロック同士、及び、自然石とコンクリートブロックを相互に連結する場合等を含む。
【００２７】
図２は、図１に示した河川護岸１に敷設されている塊状石材１１,１１相互を連結している部分の拡大斜視図である。同図は、隣り合う塊状石材１１,１１,１１が、ロープ１２と織布１３等で相互に連結されている状態を示している。本例では３個を連結しているが、２個以上であれば適宜の個数でよい。
【００２８】
図３は塊状石材１１にロープ１２の一端を固定する連結部の構造を示す拡大斜視図で、図４は図３に示す連結部構造の一部切欠拡大断面図、図５は図４のＡ―Ａ線断面図である。
【００２９】
図３〜図５において、前記織布１３は、非金属性、例えばアラミド繊維で形成した高張力を有するメッシュ状の織布であり、該織布１３の表面には耐紫外線を有する例えばポリエステル繊維織布を被覆一体化し、該ポリエステル繊維により紫外線による劣化防止処理を施している。
【００３０】
前記ロープ１２は、高張力を有する非金属性の繊維、例えばアラミド繊維を束ねて成る内側の繊維部１４と、該内側の繊維部１４の外周を被覆し、該内側の繊維部と一体化された外側織布１５とを有して、２重構造に形成されている。該外側織布１５は、耐紫外線を有する例えばポリエステル繊維を使用し、該ポリエステル繊維により該ロープ１２の紫外線による劣化を防止し、かつ、耐摩耗性が得られるように構成されている。
【００３１】
そして、ロープ１２を使用して塊状石材１１,１１相互を連結する場合は、まず、ロープ１２をハサミ等で必要な長さに切断し、かつ、両端側の外側織布１５の一部を剥ぎ、内側繊維部１４の両端を各々露出させる。また、剥がした外側織布１５の端部１５ａはほぐれないように、その端部外周部分にテープ１６を巻き付けて保護する。なお、テープ１６を巻き付ける代わりに、外側織布１５の端部１５ａを熱溶融して硬化、あるいは接着剤を含浸硬化させても良い。
【００３２】
このようにして所望長さを有するロープ１２が用意できたら、続いて図６に示すように、該ロープ１２がそれぞれ表裏面を貫通するようにして、２枚の織布１３,１３を該ロープ１２に装着する。また、該ロープ１２の両側端に各々露出している内側繊維部１４の一部１４ａをそれぞれほぐし、該ほぐした部分１４ａの一方を概ね３６０度均等に広げ、該ほぐした部分１４ａを一方の塊状石材１１の表面に当接配置する。図６は、この状態を示す。
【００３３】
次に、２枚の織布１３,１３のうち、片方の織布１３をほぐした部分１４ａの外側から塊状石材１１の表面に押し当てる。また、さらに該織布１３の外表面側から接着剤１７を塗布し、該接着剤１７を該織布１３と前記ロープ１２のほぐした部分１４ａに各々含浸させ、その後、該接着剤１７を硬化させると該ロープ１２の一方側の端部(ほぐした部分１４ａ)と該織布１３と該一方の塊状石材１１が一体に固定される。図３は、この状態を示す。なお、ロープ１２を接着剤１７で固定する際、塊状石材１１側の表面に細かい凹凸を設けておくと接着性を高めることができ、あるいは塊状石材表面に接着剤を塗布しても接着性を高めることができる。
【００３４】
このようにして、ロープ１２の一方側の端部に塊状石材１１が固定されたら、ロープ１２の反対側の端部にも塊状石材１１を織布１３及び接着剤１７を使用して同様に固定する。これにより、ロープ１２の両端側にそれぞれ塊状石材１１,１１が取り付けられ、塊状石材１１,１１相互がロープ１２で固定される。
【００３５】
なお、ロープ１２の連結本数及び太さ等は、塊状石材１１,１１の大きさ及び重量並びに設置環境等に応じて任意に選択される。
【００３６】
したがって、本実施例によれば、塊状石材１１,１１相互を連結するのに繊維性のロープ１２を使用するので、錆が発生することがない。これにより、長期に亘って自然景観及び安全性を確保することができる。また、塊状石材１１,１１に穿孔加工を施す必要がないので、穿孔機、発電機等の穿孔設備、及び、穿孔作業等が不要となり、コストダウンに寄与もする。さらに、穿孔作業が無くなることにより、粉塵対策も不要になる。
【００３７】
また、ロープ１２をほぐして広げた部分１４ａの外側から織布１３を当てて接着剤で接着をしているので、ロープ１１に引張力が働いたとき定着部となる織布１３により荷重が分散でき、さらに接着性を高めることができる。
【００３８】
さらに、ロープ１２の働き長さ(定着部間の長さ)を短くなるように変えたいときには、ハサミ等で切断すれば長さを簡単に変更することができるので、定着部位の変更が容易になる。
【００３９】
また、さらにロープ１２の内側繊維部１４の外側を耐紫外線・耐摩耗性に優れたポリエステル繊維から成る外側織布１５で被覆一体化するとともに、織布１３の外側を同じく耐紫外線に優れたポリエステル繊維から成る織布で被覆一体化しているので、耐候性・耐摩耗性がさらに向上する。
【００４０】
なお、本発明は、本発明の精神を逸脱しない限り種々の改変を為すことができ、そして、本発明が該改変されたものに及ぶことは当然である。
【００４１】
例えば、上記実施例では、織布１３の表面側から接着剤１７を塗布する構成を開示したが、塊状石材１１の表面上で、かつ、ロープ端部１４ａ及び外側織布１５が当接配置される箇所に接着剤１７を予め塗布して置き、該ロープ端部１４ａ及び外側織布１５が当接配置された際に、該塊状石材１１の表面側からロープ端部１４ａ及び外側織布１５に接着剤１７を含浸・硬化させるようにしてもよい。
【産業上の利用可能性】
【００４２】
以上説明したように、本発明は河川・海岸護岸を施工する例に適用しているが、前記以外の場所、例えば水制工、突堤工、消波工、離岸堤工、等の被覆工の施工にも適用可能である。
【符号の説明】
【００４３】
１１      塊状石材
１２      ロープ
１３      織布
１４      内側繊維部
１４ａ    ほぐした部分
１５      外側織布
１５ａ    端部
１６      テープ
１７      接着剤
【図１】
2011017142.tif 000003
【図２】
2011017142.tif 000004
【図３】
2011017142.tif 000005
【図４】
2011017142.tif 000006
【図５】
2011017142.tif 000007
【図６】
2011017142.tif 000008